(57)【要約】  電子機器の動作電力を効果的に管理するシステム及び方法が、動作電力を電子機器に供給するために電子機器に連結されたバッテリパックを有する。バッテリコントローラは、バッテリパックをシングルセル実装又はデュアルセル実装で交互に管理するために単一の集積回路素子として構成する。シングルセル実装においてバッテリコントローラを動作させるための内部コントローラ電源を提供するために、バッテリコントローラは充電ポンプ装置を有する。
2007511199.tif 000002
【特許請求の範囲】
【請求項１】
電子機器の動作電力を効果的に管理する動作電力管理システムにおいて、
上記電子機器に接続され、上記動作電力を供給するバッテリパックと、
上記バッテリパックをシングルセル実装又はデュアルセル実装で交互に管理するように構成され、該シングルセル実装で動作させる内部コントローラ電源を提供する充電ポンプを有するバッテリコントローラとを備える動作電力管理システム。
【請求項２】
上記バッテリコントローラは、上記バッテリパックが上記シングルセル実装又は上記デュアルセル実装のいずれかで動作するように選択的に構成された単一集積回路素子として実装されることを特徴とする請求項１に記載の動作電力管理システム。
【請求項３】
上記電子機器は、上記バッテリパックから上記動作電力を得る携帯型電子カメラ機器として実装され、上記バッテリコントローラは、該携帯型電子カメラ機器に上記バッテリパックに関する残存動作電力情報を提供することを特徴とする請求項１に記載の動作電力管理システム。
【請求項４】
上記バッテリパックの上記シングルセル実装は、単一のリチウムイオンバッテリセルを利用して、該バッテリパックの上記デュアルセル実装は、２つのリチウムイオンバッテリセルを利用することを特徴とする請求項１に記載の動作電力管理システム。
【請求項５】
上記バッテリパックは、上記シングルセル実装で上記バッテリコントローラに削減された供給電圧を供給し、上記充電ポンプは、該バッテリコントローラを動作させる上記内部コントローラ電源を形成するために、上記シングルセル実装で上記削減された供給電圧を応答可能なように上昇させ、上記内部コントローラ電源は、上記シングルセル実装と上記デュアルセル実装にいずれにおいてもほぼ等しくなり、上記充電ポンプは、上記内部コントローラ電源を適正に提供するためにはどの程度上記削減された供給電圧を上昇させる必要があるかに応じて、増幅倍率等倍、１．５倍、又は２倍で上記削減された供給電圧を選択的に操作することを特徴とする請求項１に記載の動作電力管理システム。
【請求項６】
上記バッテリパックは、停止モードにおいて、上記バッテリパックの漏洩電流がゼロμａｍｐであり、該バッテリパックは、所定の閾値電圧レベルまで放電されていることを特徴とする請求項１に記載の動作電力管理システム。
【請求項７】
上記バッテリパックは、充電器と上記バッテリパックの１つ又は複数のバッテリセルとの間に直列接続された充電スイッチと放電スイッチとを有し、上記充電スイッチは、上記バッテリセルの過充電を防止するために、上記バッテリコントローラのＣＰＵにより開かれることを特徴とする請求項１に記載の動作電力管理システム。
【請求項８】
上記バッテリパックは、充電器と上記バッテリパックの１つ又は複数のバッテリセルとの間に直列接続された充電スイッチと放電スイッチとを有し、上記放電スイッチは、上記バッテリセルの過充電を防止するために、上記バッテリコントローラのＣＰＵにより開くことができることを特徴とする請求項１に記載の動作電力管理システム。
【請求項９】
上記バッテリパックは、充電器と上記バッテリパックの１つ又は複数のバッテリセルとの間に直列接続された充電スイッチと放電スイッチとを有し、上記バッテリコントローラは、該充電スイッチ及び該放電スイッチの対応するものを完全にオンにするために、それぞれ十分な拡張電圧を生成させる充電増幅器及び放電増幅器に対して負の充電ポンプ出力電圧を生成する内部負充電ポンプを有することを特徴とする請求項１に記載の動作電力管理システム。
【請求項１０】
上記負充電ポンプは、上記充電ポンプから充電ポンプ出力電圧を蓄電器に充電するために閉じられる第１位相−１スイッチと第２位相−１スイッチとを有し、上記マイナス充電ポンプがその後、上記負充電ポンプ出力電圧を上記内部負充電ポンプから上記充電増幅器と上記放電増幅器の両方に提供するために、第１位相−０スイッチと第２位相−０スイッチとを閉じることを特徴とする請求項９に記載の動作電力管理システム。
【請求項１１】
上記バッテリパックは、充電器と上記バッテリパックの１つ又は複数のバッテリセルとの間に直列接続された充電スイッチと放電スイッチとを有し、上記充電スイッチと上記放電スイッチが、充電器と上記バッテリパックの１つ又は複数のバッテリセルとの間の正充電経路に配置されたＰ型電界効果トランジスタとして実装されることを特徴とする請求項１に記載の動作電力管理システム。
【請求項１２】
上記バッテリパックは、充電器と上記バッテリパックの１つ又は複数のバッテリセルとの間に直列接続された充電スイッチと放電スイッチとを有し、上記充電スイッチと上記放電スイッチが、上記バッテリパックの充電器と１つ又は複数のバッテリセルとの間の負充電経路に配置されたＮ型電界効果トランジスタとして実装されることを特徴とする請求項１に記載の動作電力管理システム。
【請求項１３】
上記バッテリパックは、上記シングルセル状態で実装され、上記バッテリコントローラが、充電器が放電状態の上記バッテリパックに接続される上記バッテリパックの起動手順を調整し、上記バッテリコントローラが、上記充電器と上記バッテリパックとの間に接続された充電スイッチを応答可能なように閉じることを特徴とする請求項１に記載の動作電力管理システム。
【請求項１４】
上記充電スイッチは、充電器電圧を上記充電器から上記充電ポンプの充電器入力に送り、上記充電ポンプが、充電ポンプ出力電圧を所定の電圧レベルにおいて、上記充電ポンプ出力電圧をろ過する充電器調整器に対して応答可能なように発生させ、上記充電器調整器が、上記バッテリコントローラのＣＰＵが上記バッテリパックの動作を制御するためのバッテリコントローラ命令の実行を開始することができるように上記内部コントローラ電源を発生させることを特徴とする請求項１３に記載の動作電力管理システム。
【請求項１５】
上記ＣＰＵは、上記バッテリセルの充電を開始するために上記バッテリパックの中の放電スイッチを閉じ、上記ＣＰＵがさらに上記充電ポンプの上記充電器入力から上記充電ポンプのバッテリ入力へ切り換えるためにＣＰＳＥＬ線も利用し、上記充電ポンプが上記充電ポンプ出力電圧を上記所定の電圧レベルにおいて上記充電器調整器に対して応答可能なように発生させ、上記充電器調整器が上記内部コントローラ電源を上記バッテリコントローラに提供するために上記充電ポンプ出力をろ過し、したがって、上記充電ポンプが上記バッテリパックの上記シングルセル実装による低バッテリ出力電圧を補うことを特徴とする請求項１４に記載の動作電力管理システム。
【請求項１６】
上記バッテリパックは、上記バッテリセルを充電するために上記バッテリコントローラの制御の下で上記充電器を利用し、上記充電器が上記電子機器を制限なく使用するために取り外され、上記電子機器が上記動作電力を供給するために上記バッテリパックを利用することを特徴とする請求項１５に記載の動作電力管理システム。
【請求項１７】
上記バッテリコントローラのアナログデジタル変換器モジュールは、上記動作電力の上記電子機器への供給中には上記バッテリパックのバッテリ電圧を監視し、上記アナログデジタル変換器モジュールが所定の放電電圧レベルを感知した場合は、上記バッテリコントローラのＣＰＵが上記バッテリパックの終了手順を制御し、上記ＣＰＵが上記バッテリパックの中の放電スイッチを応答可能なように開くことを特徴とする請求項１に記載の動作電力管理システム。
【請求項１８】
上記ＣＰＵは、上記充電ポンプのバッテリ入力における上記バッテリパックのバッテリ電圧から上記充電ポンプの充電器入力における上記充電器からの充電器電圧へ切り換えるためにＣＰＳＥＬ線を切り換え、それにより、上記内部コントローラ電源を発生させ、上記充電器が上記バッテリパックに接続されていない場合は、上記内部コントローラ電源が応答可能なようにリセット閾値以下に低下し、上記充電器が上記バッテリパックに接続され、開始手順が上記バッテリパックを充電するために上記バッテリコントローラにより実施されるまでは、上記バッテリパックが停止状態に入ることを特徴とする請求項１７に記載の動作電力管理システム。
【請求項１９】
上記バッテリコントローラは、上記バッテリコントローラを備える集積回路素子の単一の送受信ピンを介して上記電子機器との通信のために実装されたＵＡＲＴ装置を有し、したがって、上記ＵＡＲＴが上記バッテリコントローラの上記集積回路素子の利用可能な接続ピンを節約するために単一ピンＵＡＲＴインタフェースを支援することを特徴とする請求項１に記載の動作電力管理システム。
【請求項２０】
上記ＵＡＲＴ装置は、上記バッテリコントローラを備える集積回路上に実装された精密命令発振器から時間ベース信号を受信し、上記命令発振器がＵＡＲＴ動作を同期化するためにＵＡＲＴクロック信号を上記ＵＡＲＴに対して正確に生成することを特徴とする請求項１９に記載の動作電力管理システム。
【請求項２１】
電子機器の動作電力を効果的に管理する動作電力管理方法において、
上記電子機器の動作電力を上記電子機器に接続されたバッテリパックから供給するステップと、
充電ポンプを有するバッテリコントローラを利用し、上記バッテリコントローラをシングルセル実装で動作させるための内部コントローラ電源を提供することにより、上記バッテリパックをシングルセル実装又はデュアルセル実装で交互に管理するステップとを有する動作電力管理方法。
【請求項２２】
上記バッテリコントローラは、上記バッテリパックが上記シングルセル実装又は上記デュアルセル実装のいずれかで動作するように選択的に構成された単一集積回路素子として実装されることを特徴とする請求項２１に記載の動作電力管理方法。
【請求項２３】
上記電子機器は、上記バッテリパックから上記動作電力を得る携帯型電子カメラ機器として実装され、上記バッテリコントローラは、該携帯型電子カメラ機器に上記バッテリパックに関する残存動作電力情報を提供することを特徴とする請求項２１に記載の動作電力管理方法。
【請求項２４】
上記バッテリパックの上記シングルセル実装は、単一のリチウムイオンバッテリセルを利用して、該バッテリパックの上記デュアルセル実装は、２つのリチウムイオンバッテリセルを利用することを特徴とする請求項２１に記載の動作電力管理方法。
【請求項２５】
上記バッテリパックは、上記シングルセル実装において削減された供給電圧を上記バッテリコントローラに提供し、上記充電ポンプが上記シングルセル実装において上記削減された供給電圧を応答可能なように上昇させ、それにより上記バッテリコントローラに電力を供給するために上記内部コントローラ電源を作り、したがって、上記内部コントローラ電源が上記シングルセル実装と上記デュアルセル実装にいずれにおいてもほぼ等しくなり、上記充電ポンプが、上記内部コントローラ電源を適正に提供するためにはどの程度上記削減された供給電圧を上昇させる必要があるかに応じて、増幅倍率等倍、１.５倍、又は２倍で上記削減された供給電圧を選択的に操作することを特徴とする請求項２１に記載の動作電力管理方法。
【請求項２６】
上記バッテリパックは、停止モードにおいて、上記バッテリパックの漏洩電流がゼロμａｍｐであり、該バッテリパックは、所定の閾値電圧レベルまで放電されていることを特徴とする請求項２１に記載の動作電力管理方法。
【請求項２７】
上記バッテリパックは、バッテリ充電器と上記バッテリパックの１つ又は複数のバッテリセルとの間に直列接続された充電スイッチと放電スイッチとを有し、上記バッテリセルの過充電を防止するために、上記充電スイッチが上記バッテリコントローラのＣＰＵにより開かれることを特徴とする請求項２１に記載の動作電力管理方法。  
【請求項２８】
上記バッテリパックは、充電器と上記バッテリパックの１つ又は複数のバッテリセルとの間に直列接続された充電スイッチと放電スイッチとを有し、上記充電スイッチは、上記バッテリセルの過充電を防止するために、上記バッテリコントローラのＣＰＵにより開くことができることを特徴とする請求項２１に記載の動作電力管理方法。
【請求項２９】
上記バッテリパックは、充電器と上記バッテリパックの１つ又は複数のバッテリセルとの間に直列接続された充電スイッチと放電スイッチとを有し、上記バッテリコントローラは、該充電スイッチ及び該放電スイッチの対応するものを完全にオンにするために、それぞれ十分な拡張電圧を生成させる充電増幅器及び放電増幅器に対して負の充電ポンプ出力電圧を生成する内部負充電ポンプを有することを特徴とする請求項２１に記載の動作電力管理方法。
【請求項３０】
上記負充電ポンプは、上記充電ポンプから充電ポンプ出力電圧を蓄電器に充電するために閉じられる第１位相−１スイッチと第２位相−１スイッチとを有し、上記マイナス充電ポンプがその後、上記負充電ポンプ出力電圧を上記内部負充電ポンプから上記充電増幅器と上記放電増幅器の両方に提供するために、第１位相−０スイッチと第２位相−スイッチとを閉じることを特徴とする請求項２９に記載の動作電力管理方法。
【請求項３１】
上記バッテリパックは、バッテリ充電器と上記バッテリパックの１つ又は複数のバッテリセルとの間に直列接続された充電スイッチと放電スイッチとを有し、上記充電スイッチと上記放電スイッチが、バッテリ充電器と上記バッテリパックの１つ又は複数のバッテリセルとの間の正充電経路に配置されたＰ型電界効果トランジスタとして実装されることを特徴とする請求項２１に記載の動作電力管理方法。
【請求項３２】
上記バッテリパックは、充電器と上記バッテリパックの１つ又は複数のバッテリセルとの間に直列接続された充電スイッチと放電スイッチとを有し、上記充電スイッチと上記放電スイッチが、上記バッテリパックの充電器と１つ又は複数のバッテリセルとの間の負充電経路に配置されたＮ型電界効果トランジスタとして実装されることを特徴とする請求項２１に記載の動作電力管理方法。
【請求項３３】
上記バッテリパックは、上記シングルセル状態で実装され、上記バッテリコントローラが、充電器が放電状態の上記バッテリパックに接続される上記バッテリパックの起動手順を調整し、上記バッテリコントローラが、上記充電器と上記バッテリパックとの間に接続された充電スイッチを応答可能なように閉じることを特徴とする請求項２１に記載の動作電力管理方法。
【請求項３４】
上記充電スイッチは、充電器電圧を上記充電器から上記充電ポンプの充電器入力に送り、上記充電ポンプが、充電ポンプ出力電圧を所定の電圧レベルにおいて、上記充電ポンプ出力電圧をろ過する充電器調整器に対して応答可能なように発生させ、上記充電器調整器が、上記バッテリコントローラのＣＰＵが上記バッテリパックの動作を制御するためのバッテリコントローラ命令の実行を開始することができるように上記内部コントローラ電源を発生させることを特徴とする請求項３３に記載の動作電力管理方法。
【請求項３５】
上記ＣＰＵは、上記バッテリセルの充電を開始するために上記バッテリパックの中の放電スイッチを閉じ、上記ＣＰＵがさらに上記充電ポンプの上記充電器入力から上記充電ポンプのバッテリ入力へ切り換えるためにＣＰＳＥＬ線も利用し、上記充電ポンプが上記充電ポンプ出力電圧を上記所定の電圧レベルにおいて上記充電器調整器に対して応答可能なように発生させ、上記充電器調整器が上記内部コントローラ電源を上記バッテリコントローラに提供するために上記充電ポンプ出力をろ過し、したがって、上記充電ポンプが上記バッテリパックの上記シングルセル実装による低バッテリ出力電圧を補うことを特徴とする請求項３４に記載の動作電力管理方法。
【請求項３６】
上記バッテリパックは、上記バッテリセルを充電するために上記バッテリコントローラの制御の下で上記充電器を利用し、上記充電器が上記電子機器を制限なく使用するために取り外され、上記電子機器が上記動作電力を供給するために上記バッテリパックを利用することを特徴とする請求項３５に記載の動作電力管理方法。
【請求項３７】
上記バッテリコントローラのアナログデジタル変換器モジュールは、上記動作電力の上記電子機器への供給中には上記バッテリパックのバッテリ電圧を監視し、上記アナログデジタル変換器モジュールが所定の放電電圧レベルを感知した場合は、上記バッテリコントローラのＣＰＵが上記バッテリパックの終了手順を制御し、上記ＣＰＵが上記バッテリパックの中の放電スイッチを応答可能なように開くことを特徴とする請求項２１に記載の動作電力管理方法。
【請求項３８】
上記ＣＰＵは、上記充電ポンプのバッテリ入力における上記バッテリパックのバッテリ電圧から上記充電ポンプの充電器入力における上記充電器からの充電器電圧へ切り換えるためにＣＰＳＥＬ線を切り換え、それにより、上記内部コントローラ電源を発生させ、上記充電器が上記バッテリパックに接続されていない場合は、上記内部コントローラ電源が応答可能なようにリセット閾値以下に低下し、上記充電器が上記バッテリパックに接続され、開始手順が上記バッテリパックを充電するために上記バッテリコントローラにより実施されるまでは、上記バッテリパックが停止状態に入ることを特徴とする請求項３７に記載の動作電力管理方法。
【請求項３９】
上記バッテリコントローラは、上記バッテリコントローラを備える集積回路素子の単一の送受信ピンを介して上記電子機器との通信のために実装されたＵＡＲＴ装置を有し、したがって、上記ＵＡＲＴが上記バッテリコントローラの上記集積回路素子の利用可能な接続ピンを節約するために単一ピンＵＡＲＴインタフェースを支援することを特徴とする請求項２１に記載の動作電力管理方法。
【請求項４０】
上記ＵＡＲＴ装置は、上記バッテリコントローラを備える集積回路上に実装された精密命令発振器から時間ベース信号を受信し、上記命令発振器がＵＡＲＴ動作を同期化するためにＵＡＲＴクロック信号を上記ＵＡＲＴに対して正確に生成することを特徴とする請求項３９に記載の動作電力管理方法。
【請求項４１】
電子機器の動作電力を効果的に管理する動作電力管理システムにおいて、
上記電子機器に接続され、上記動作電力を供給するバッテリパックと、
上記バッテリパックを減少セル実装又は増加セル実装で交互に管理するように構成されたバッテリコントローラと、上記バッテリコントローラが、上記バッテリコントローラを上記シングルセル実装で動作させるための内部コントローラ電源を提供するための充電ポンプを備えることを特徴とする動作電力管理システム。
【請求項４２】
電子機器の動作電力を効果的に管理する動作電力管理システムにおいて、
上記動作電力を上記電子機器に供給する手段と、
上記バッテリパックをシングルセル実装又はデュアルセル実装で交互に管理して、該シングルセル実装で動作させる内部コントローラ電源を提供する充電ポンプを有するバッテリコントローラを有することを管理する手段を有する動作電力管理システム。
【発明の詳細な説明】
【技術分野】
【０００１】
本発明は、一般的には電子機器の動作電力を管理する技術に関し、詳細には電子機器のバッテリコントローラを効果的に実装するためのシステム及び方法に関する。
【背景技術】
【０００２】
動作電力の効率的管理方法の実現は最新の電子機器の設計者やメーカーにとっては重要な検討課題である。しかしながら、動作電力の効果的な管理はシステム設計者にとっては相当な難問となるかもしれない。例えば、電力管理の機能性と性能の向上への要求の高まりにより、必要なシステム処理電力が増加し、ハードウェアリソースの追加が要求されることがある。処理又はハードウェア要件の増加の結果として、製造コストや運用非効率性の増大が原因の対応する経済的悪影響が生じることもある。
【０００３】
さらに、様々な先進的電力管理作業を実施するためのシステム能力の強化はシステムユーザに追加的な利益を提供するかもしれないが、様々なシステムコンポーネントの制御や管理に対する要求も増大するかもしれない。例えば、現在残っている電子機器動作電力を効果的に監視する電力管理システムの強化は、電子機器の現在残っている利用可能動作時間を機器ユーザに正確に示すことの重要性から、効果的実装による恩恵を受けるかもしれない。
【０００４】
携帯型電子機器が関与するある種の運用環境において、いつバッテリパックが完全放電状態になるかを事前に知っていることは、機器ユーザにとっては相当に重要な問題である。例えば、画像データを記録するためにデジタルカメラ装置を使用する場合、デジタルカメラ装置に十分な動作電力を提供できないと、追加的画像データを決定的な時点に記録することが一時的にできないかもしれない。
【発明の開示】
【発明が解決しようとする課題】
【０００５】
システムリソースへの需要の高まりや十分な動作電力を電子機器にきちんと正確に提供することの重要性から、動作電力管理の新技術の開発が関連電子技術にとっての懸案事項であることは明白である。したがって、上記の全ての理由から、動作電力管理のための効率的なシステムの開発は最新の電子機器の設計者、メーカー、及びユーザにとっては依然として重要な検討課題である。
【課題を解決するための手段】
【０００６】
本発明に基づき、電子機器のバッテリコントローラを効果的に実装するシステム及び方法が開示される。一実施形態において、バッテリコントローラは、動作電力を電子機器に効果的に提供するためのバッテリパックの様々な機能を制御するシングルチップ集積回路素子として実装することもできる。本発明のいくつかの実施形態によれば、バッテリコントローラはシングルセル実装又はデュアルセル実装でバッテリパックを制御するように選択的に構成することもできる。
【０００７】
バッテリパックが低下バッテリ供給電圧を提供するシングルセル実装において、バッテリコントローラは、バッテリ供給電圧をバッテリコントローラを動作させるのに十分な内部コントローラ電源に変換するために、充電ポンプを利用することもできる。したがって、バッテリコントローラは、バッテリパックのシングルセル実装による低バッテリ供給電圧を補うために充電ポンプを利用することもできるのが効果的である。
【０００８】
いくつかの条件の下では、バッテリコントローラはバッテリパックの過充電を防止するために放電スイッチを開くこともできる。さらに、バッテリコントローラは他の条件の下でバッテリパックの過充電を防止するために充電スイッチを開くこともできる。いくつかの実施形態において、バッテリコントローラは、充電スイッチと放電スイッチが、スイッチが入れられた時に、十分に低いオン状態抵抗を示すように、拡張電圧を生成するための負の充電ポンプ出力電圧を提供するために、内部負充電ポンプを利用することもできる。
【０００９】
バッテリコントローラのいつくかの実施形態は、バッテリコントローラと対応する電子機器のプロセッサのような適当な外部実体との間の様々な双方向通信を行うために、ＵＡＲＴ装置を含むこともできる。ＵＡＲＴ装置は、バッテリコントローラを備える集積回路素子上の単一の送受信ピンを介して電子機器と通信するように実装することもできるのが効果的である。さらに、ＵＡＲＴ装置は、ＵＡＲＴ装置における作業の同期化のためにＵＡＲＴクロック信号を正確に生成するために、精密オンチップ命令発振器から時間ベース信号を受信することもできるのが効果的である。したがって、少なくとも理由から、本発明は、電子機器のバッテリコントローラの効果的に実装するための改良されたシステム及び方法を提供する。
【発明を実施するための最良の形態】
【００１０】
本発明は、電力管理技術の改良に関する。以下の説明は、当業者が発明することができるように提示され、特許出願とその要件との関連で提供される。開示された実施形態に対する変更は、当業者には容易に理解することができ、ここにおける包括的原理は、他の実施形態にも適用することができる。したがって、本発明は、ここに示した実施形態に限定することを意図したものではなく、ここに記述された原理と特徴と整合する最も広範囲を許容するものとする。
【００１１】
本発明は、電子機器の動作電力を効果的に管理するシステム及び方法からなり、動作電力を電子機器に供給するために電子機器に接続されたバッテリパックを有してもよい。バッテリコントローラは、バッテリパックをシングルセル実装又はデュアルセル実装で交互に管理するために単一の集積回路素子として構成することもできる。バッテリパックは、シングルセル実装において、バッテリコントローラを動作させる内部コントローラ電源を備えた充電ポンプ装置を有してもよい。
【００１２】
図１は、本発明にかかる一実施形態における、装置１１０のブロック図である。図１の実施形態において、装置１１０は、限定されないが、電子機器１１４と、バッテリパック１１８と、充電器１２２と、バッテリコントローラ３１０とを備えていてもよい。他の実施形態において、装置１１０は、図１の実施形態との関連で述べたコンポーネントに加えて、又はそれらの代わりに、様々な他のコンポーネントを備えてもよい。
【００１３】
図１の実施形態において、電子機器１１４は、動作電力を受け取るために、正経路と負経路を介してバッテリパック１１８に接続されている。バッテリコントローラ３１０は、バッテリパック１１８に関して様々な電力管理機能を実行し、送受信（ＴＸＲＸ）経路を介して電子機器１１４と双方向通信を実行することもできる。図１の実施形態において、バッテリパック１１８内のバッテリ（１つ又は複数のバッテリセル）は、正充電経路と負充電経路を介して、バッテリパック１１８内のバッテリセルを再充電する充電器１２２に接続されている。装置１１０の動作と利用に関しては、図２〜図７において後述する。
【００１４】
図２は、本発明にかかる一実施形態における、図１に示す電子機器１１４のブロック図である。図２に示す電子機器１１４は、デジタルカメラ装置として実現されたものである。しかしながら、他の実施形態において、電子機器１１４は、動作電力を必要とする他のあらゆる種類の携帯型又は固定電子機器又はシステムとして簡単に実現することもできる。
【００１５】
図２の実施形態において、電子機器１１４は、限定されないが、捕捉サブシステム２２２と機器制御モジュール２１８とを備える。他の実施形態において、電子機器１１４は、図２の実施形態で述べたコンポーネントに加えて、又はそれらの代わりに、様々な他のコンポーネントを備えてもよい。
【００１６】
図２の実施形態において、電子機器１１４は、光路に沿って画像センサに反射する反射光を介してターゲットオブジェクトに対応する画像データを選択的に記録するために、捕捉サブシステム２２２を利用することもできる。画像センサは、好ましくは電荷結合素子（ＣＣＤ）を含んでいてもよく、ターゲットオブジェクトを表す一連の画像データを応答可能なように生成することもできる。その後、画像データは、装置バス２３８を介して適切に処理及び記憶する機器制御モジュール２１８に送られる。
【００１７】
図２の実施形態において、機器制御モジュール２１８は、限定されないが、プロセッサ２２６と、メモリ２３０と、１つ又は複数の入力／出力インタフェース（Ｉ／Ｏ）２３４とを備える。プロセッサ２２６と、メモリ２３０と、Ｉ／Ｏ２３４とは、捕捉サブシステム２２２とも通信する共通の装置バス２３８を介して、相互に接続し、通信する。図２の実施形態において、プロセッサ２２６は、好ましくは、電子機器１１４を制御するあらゆる適当なマイクロプロセッサ装置を備える。
【００１８】
メモリ２３０は、好ましくは、限定されないが、読出し専用メモリ、ランダムアクセスメモリ及び様々な種類の不揮発性メモリ、例えばフロッピー（登録商標）ディスク、ハードディスク又はフラッシュメモリを含む１つ又は複数の適当な記憶装置として実現してもよい。Ｉ／Ｏ２３４は、好ましくは、電子機器１１４と、システムユーザ又は別の電子機器を含むあらゆる外部実体との間で容易に双方向通信を行う１つ又は複数の効果的なインタフェースを備える。
【００１９】
図２の実施形態において、メモリ２３０は、限定されないが、電子機器１１４が様々な機能や動作を実行するためにプロセッサ２２６により実行されるプログラム命令のカメラアプリケーションを有する。また、メモリ２３０は、電子機器１１４の低水準の機能を、好ましくは、制御及び調整するカメラオペレーティングシステムを備える。
【００２０】
図３は、本発明にかかる一実施形態における、図１に示すバッテリコントローラのブロック図である。本発明の他の実施形態において、バッテリコントローラ３１０は、様々な他の機器構成を有し、図３の実施形態で述べた機器構成に加えて、又はそれらの代わりに、様々な他の構成要素やコンポーネントを有してもよい。
【００２１】
図３の実施形態において、バッテリコントローラ３１０は、バッテリパック１１８（図１）と一体のシングルチップ集積回路素子として実装されたものである。図３の実施形態において、バッテリコントローラ３１０は、バッテリコントローラ３１０の機能を制御するあらゆる適当な種類のマイクロプロセッサを有する中央演算処理装置（ＣＰＵ）３１４を有する。例えば、ＣＰＵ３１４は、バッテリコントローラ３１０の動作を制御するためにプログラムメモリ３１８からのバッテリコントローラ命令を実行する縮小命令セットコンピュータ（ＲＩＳＣ）プロセッサとして効果的に実現することもできる。
【００２２】
図３の実施形態において、バッテリコントローラ３１０は、限定されないが、アナログデジタル変換器（Ａ／ＤＣ）モジュール３２２と、残量計モジュール３２６と、万能非同期送受信機（ＵＡＲＴ）３３４と、リニアブロック３３６と、命令発振器３３８と、充電ポンプ３４２と有する。図３の実施形態において、バッテリコントローラ３１０は、バッテリパック１１８（図１）の１つ又は複数のバッテリセルからのバッテリ電圧を調整するために、Ａ／Ｄ変換器３２２を利用してもよい。ＣＰＵ３１４は、バッテリパック１１８内の残存動作電力を計算するバッテリ容量のアルゴリズムにおける入力値として、調整されたバッテリ電圧を利用してもよい。同様に、バッテリコントローラ３１０は、バッテリ容量のアルゴリズムにおける他の入力値として使用するために、バッテリパック１１８のバッテリセルに流入出する電流を調整する残量計モジュール３６を利用してもよい。
【００２３】
図３の実施形態において、図７でさらに後述するように、バッテリコントローラ３１０は、バッテリコントローラ３１０と適当な外部実体との間で様々な双方向通信を行うために、ＵＡＲＴ３３４と命令発振器３３８とを使用することもできる。図３の実施形態において、バッテリコントローラ３１０は、バッテリコントローラ３１０の様々なアナログ及びデジタル回路を動作させる内部コントローラ電源を備えるリニアブロック３３６（リニア電圧調整器）と充電ポンプ３４２とを利用することもできる。リニアブロック３３６と充電ポンプ３４２の利用に関しては、図４及び図５でさらに後述する。
【００２４】
図４は、一実施形態における図１に示すバッテリパック１１８の選択成分の概略図である。他の実施形態において、バッテリパック１１８は、図４の実施形態で述べたものに加えて、又はそれらの代わりに、様々なコンポーネントや機器構成を有してもよい。
【００２５】
図４の実施形態において、バッテリパック１１８は、２つのバッテリセルを利用することによって実行することができるバッテリコントローラ３１０（図１）と、バッテリ４５４とを備える。いくつかの実施形態において、バッテリセルは、完全充電状態で総電圧約８．４Ｖ（ボルト）を生成するために各約４．２Ｖを供給するリチウムイオンバッテリセルとして実装することもできる。
【００２６】
図４の実施形態において、バッテリパック１１８は、バッテリパック１１８の正充電経路に直列に接続された充電スイッチ４２２と放電スイッチ４５８とを有してもよく、充電スイッチ４２２は、正充電器端子（ＰＣＫＰ）４１４に直接接続され、放電スイッチ４５８は、バッテリ４５４の正側に接続される。図４の実施形態において、充電スイッチ４２２及び放電スイッチ４５８は、Ｐ型電界効果トランジスタ（ＦＥＴ）として実装してもよい。さらに、図４の実施形態において、充電スイッチ４２２は、ボディダイオード４２６に並列に接続することもでき、放電スイッチ４５８は、ボディダイオード４６２に並列に接続することもできる。
【００２７】
動作中は、バッテリ４５４を過放電し、最低電圧レベル以下に下がることにより、バッテリ４５４の永続的損傷を回避するために、バッテリコントローラ３１０は、放電スイッチ４５８を都合よく開くことができる。さらに、バッテリ４５４を過充電し、最高電圧レベル以上に上がることにより、バッテリ４５４の過充電によるある特定の危険な状態を回避するために、バッテリコントローラ３１０は、充電スイッチ４２６を開くこともできる。
【００２８】
いくつかの他の実施形態において、充電スイッチ４２２及び放電スイッチ４５８は、バッテリパック１１８の負充電経路に直列接続されたＮ型電界効果トランジスタ（ＦＥＴ）を利用することにより、交互に実装することもでき、充電スイッチ４２２は、負充電器端子（ＰＣＮＫ）４１８に直接接続され、放電スイッチ４５８は、バッテリ４５４の負側に接続される。
【００２９】
図４の実施形態において、バッテリコントローラ３１０は、バッテリパック１１８の開始手順と終了手順を都合よく調整することができる。実際には、バッテリ４５４が放電状態である場合、開始手順を開始するために、機器ユーザは、充電器１２２（図１）をＰＣＫＰ４１４とＰＣＫＮ４１８とに接続することもできる。バッテリコントローラ３１０は、充電スイッチ４２２をオンにするため、ＬＤＯＩピン４３８を介して充電器電圧を充電器調整器（ＬＤＯＩ  ＬＤＯ）４４２の入力に送るＰＣＫＰ４１４における充電器電圧を利用する。
【００３０】
ＣＰＵ３１４は、バッテリパック１１８の動作を制御するためのバッテリコントローラ命令を実行することができるように、充電器調整器４４２は、調整内部コントローラ電源４４６を出力する。さらに、ＣＰＵ３１４は、バッテリ４５４が放電できるように放電スイッチ４５８をオンにする。図４の実施形態において、ＣＰＵ３１４は、さらに、充電器調整器４４２から、ＢＡＴＴピン４７０からのバッテリ電圧を調整し、バッテリコントローラ３１０を動作させる調整内部コントローラ電源４４６を有するバッテリ調整器（ＢＡＴＴ  ＬＤＯ）４７４へ切り換えるために、ＢＡＴＴＯＮ線４５０を利用する。
【００３１】
バッテリ４５４が充電された後、電子機器１１４（図１）を制限なく使用するためにバッテリパック１１８を取り外すこともでき、電子機器１１４は、その後電力を動作させるバッテリ４５４を使用することもできる。ＣＰＵ３１４は、バッテリコントローラ３１０のＡ／Ｄ変換器３２２（図３）を利用して、放電中のバッテリ４５４を監視する。バッテリ４５４が、所定の放電電圧レベルに達した場合、ＣＰＵ３１４は、バッテリパック１１８の終了手順を開始してもよい。例えば、ＣＰＵ３１４は、放電スイッチ４６２を開き、バッテリコントローラ３１０を内部コントローラ電源４４６の充電器調整器４４２に戻すために、ＢＡＴＴＯＮ線４５０を切り換えることもできる。充電器１２２がバッテリパック１１８に接続されていない場合、バッテリコントローラ３１０の内部コントローラ電源４４６は、リセット閾値以下に低下し、バッテリ充電器１２２が接続されるまで、バッテリパック１１８は、停止状態に入ることになり、開始手順を繰り返す。
【００３２】
いくつかの実施形態において、単一のバッテリセルを利用することによりバッテリ４５４を実装するのが望ましい又は効果的である。しかしながら、このような単一セルを実装する場合、バッテリ調整器４７４を駆動するためのバッテリ電圧量の半分しか供給されず、したがって、バッテリコントローラ３１０の内部コントローラ電源４４６において対応する大きな電圧低下が起こる結果となる。したがって、バッテリパック１１８のアナログコンポーネントとデジタルコンポーネントは、適切に機能するために必要な動作電圧が不足する。バッテリパック１１８の効果的な単一セルを実装する一実施形態を以下に図５を用いて説明する。
【００３３】
図５は、本発明にかかる一実施形態における図１に示すバッテリパック１１８の選択コンポーネントの概略図である。他の実施形態において、本発明は、図５の実施形態で述べたものに加えて、又はそれらの代わりに、様々なコンポーネントや機器構成を有してもよい。
【００３４】
図５の実施形態において、バッテリパック１１８は、２つのバッテリセルを利用することによって実行することができるバッテリコントローラ３１０（図１）と、バッテリ４５４とを備える。バッテリ４５４の単一セルの実装は、様々な要因、例えば、バッテリパック１１８の低製造費及びサイズ及び重量の減少のような要因から選択することもできる。いくつかの実施形態において、バッテリセルは、完全充電状態で約４．２Ｖを供給するリチウムイオンバッテリセルとして実装することもできる。
【００３５】
図５の実施形態において、バッテリパック１１８は、バッテリパック１１８の正充電経路に直列に接続された充電スイッチ４２２と放電スイッチ４５８とを有してもよく、充電スイッチ４２２は、正充電器端子（ＰＣＫＰ）４１４に直接接続され、放電スイッチ４５８は、バッテリ４５４の正側に接続される。図５の実施形態において、充電スイッチ４２２及び放電スイッチ４５８は、Ｐ型電界効果トランジスタ（ＦＥＴ）として実装してもよい。さらに、図５の実施形態において、充電スイッチ４２２は、ボディダイオード４２６に並列に接続することもでき、放電スイッチ４５８は、ボディダイオード４６２に並列に接続することもできる。
【００３６】
動作中は、バッテリ４５４を過放電し、最低電圧レベル以下に下がることにより、バッテリ４５４の永続的損傷を回避するために、バッテリコントローラ３１０は、放電スイッチ４５８を都合よく開くことができる。さらに、バッテリ４５４を過充電し、最高電圧レベル以上に上がることにより、バッテリ４５４の過充電によるある特定の危険な状態を回避するために、バッテリコントローラ３１０は、充電スイッチ４２６を開くこともできる。いくつかの他の実施形態において、充電スイッチ４２２及び放電スイッチ４５８は、バッテリパック１１８の負充電経路に直列接続されたＮ型電界効果トランジスタ（ＦＥＴ）を利用することにより、交互に実装することもでき、充電スイッチ４２２は、負充電器端子（ＰＣＮＫ）４１８に直接接続され、放電スイッチ４５８は、バッテリ４５４の負側に接続される。
【００３７】
図５の実施形態において、バッテリコントローラ３１０は、バッテリパック１１８の開始手順と終了手順を都合よく調整することができる。実際には、バッテリ４５４が放電状態である場合、開始手順を開始するために、機器ユーザは、充電器１２２（図１）をＰＣＫＰ４１４とＰＣＫＮ４１８とに接続することもできる。バッテリコントローラ３１０は、充電スイッチ４２２をオンにするため、ＬＤＯＩピン４３８を介して充電器電圧を充電器調整器（ＬＤＯＩ  ＬＤＯ）４４２の充電器入力（ＩＮ０）に送るＰＣＫＰ４１４における充電器電圧を利用する。
【００３８】
本発明によると、バッテリコントローラ３１０は、２つの選択可能な充電ポンプ入力のいずれかにおいて受け取った電圧レベルを効果的に調整し、何らかの適当な手段により所望の充電ポンプ出力電圧を生成するために、充電ポンプ３４２を利用する。図５に示す実施形態において、充電ポンプ３４２は、充電ポンプ入力電圧が所望の充電ポンプ出力電圧に対してどの程度低いかに応じて、１Ｘモード、１．５Ｘモード又は２Ｘモードのいずれかで動作する。１Ｘモードにおいては、充電ポンプ出力電圧は、充電ポンプ入力電圧にほぼ等しい。１．５Ｘモードにおいては、充電ポンプ出力電圧は、充電ポンプ入力電圧のほぼ１．５倍であり、２Ｘモードにおいては、充電ポンプ出力電圧は、充電ポンプ入力電圧のほぼ２倍である。これらの選択可能な充電ポンプモードは、不必要に高い動作電圧をバッテリコントローラ３１０に提供することが原因の不必要な電流消費を抑えるために、充電ポンプ３４２のＣＰＩ０及びＣＰＩ１入力上の専用電圧比較器により制御することもできる。
【００３９】
図５の実施形態において、充電ポンプ３４２は、充電ポンプ出力電圧をＣＰＯピン５２６及びＬＤＯＩピン４３８を介して供給し、充電器調整器（ＬＤＯＩ  ＬＤＯ）４４２に入力する。図５の実施形態において、上述の充電ポンプ出力電圧は、約４Ｖである。充電器調整器４４２は、ＣＰＵ３１４がバッテリコントローラ命令を実行して、バッテリパック１１８の動作を制御するように、充電ポンプ出力電圧をろ過し、クリーンな調整内部コントローラ電源４４６を備えてもよい。
【００４０】
さらに、ＣＰＵ３１４は、バッテリ４５４が放電できるために放電スイッチ４５８をオンにする。図５の実施形態において、ＣＰＵ３１４は、さらに、充電ポンプ３４２の充電器入力（ＩＮ０）から充電ポンプ３４２のバッテリ入力（ＩＮ１）へ切り換えるためにＣＰＳＥＬ線５３０を利用してもよい。充電ポンプ３４２は、ＣＰＩ１ピン５２２から受け取ったバッテリ電圧を調整し、それにより、ＣＰＯピン５２６において充電ポンプ出力電圧を生成する。図５の実施形態において、ＣＰＯピン５２６における充電ポンプ出力電圧は約４Ｖである。したがって、バッテリコントローラ３１０は、バッテリ４５４のシングルセル実装による低バッテリ電圧を補うために、充電ポンプ３４２を効果的に利用する。上述したように、充電調整器４４２は、バッテリコントローラ３１０を動作させる内部コントローラ電源４４６を発生させるために、充電ポンプ出力電圧を利用する。
【００４１】
図５の実施形態において、ＣＰＵ３１４は、内部コントローラ電源４４６を備える充電器調整器４４２を永続的に選択する値にＢＡＴＴＯＮ線を維持する。図５に示すシングルセル実装において、バッテリ調整器４７４は一般的には使用されない。しかしながら、バッテリコントローラ３１０は、バッテリ調整器４７４、又は図４で上述したバッテリパック１１８のデュアルセル実装又は図５で述べたシングルセル実装のいずれかでバッテリコントローラ３１０を利用するために必要な他の関連したコンポーネントを有するために、単一の集積回路素子として都合よく実装される。図５の実施形態において、バッテリコントローラ３１０のシングルセルモード又はデュアルセルモードの選択は、バッテリコントローラ３１０の集積回路素子からの接続ピンがどのように接続されるかによって決定する。
【００４２】
図５の実施形態において、バッテリ４５４が充電された後、電子機器１１４（図１）を制限なく使用するために、バッテリパック１１２を取り外すこともでき、電子機器１１４は、その後電力を動作させるバッテリ４５４を使用することもできる。ＣＰＵ３１４は、バッテリコントローラ３１０のＡ／Ｄ変換器３２２（図３）を利用して、放電中のバッテリ４５４を監視する。バッテリ４５４が、所定の放電電圧レベルに達した場合、ＣＰＵ３１４は、バッテリパック１１８の終了手順を開始してもよい。
【００４３】
例えば、ＣＰＵ３１４は、放電スイッチ４６２を開き、バッテリコントローラ３１０を内部コントローラ電源４４６を生成するために充電器１２２からの充電器電圧を利用する充電ポンプ３４２の充電器入力（ＩＮ０）に戻すために、ＣＰＳＥＬ線５３０に切り換えることもできる。充電器１２２がバッテリパック１１８に接続されていない場合、バッテリコントローラ３１０の内部コントローラ電源４４６は、リセット閾値以下に低下し、充電器１２２が接続されるまで、バッテリパック１１８は、停止状態となり、前述した開始手順を繰り返す。
【００４４】
本発明に基づき、充電ポンプ３４２及びバッテリコントローラ３１０の他の回路を実装して、停止モード注にバッテリ４５４から流出する漏洩電流を防ぐ。さらに、放電スイッチ４５８を開くことにより、正充電端子（ＰＣＫＰ）４１４からバッテリが効果的に切り離され、充電経路を介して電流漏れをなくす。したがって、バッテリパック１１８が停止モード中のバッテリ４５４からの停止電流は、ゼロμａｍｐである。
【００４５】
図４及び図５を用いて、シングルセル実装とデュアルセル実装について説明した。しかしながら、本発明の原理と概念は、特定のバッテリパックのセル数削減実装及びセル数拡大実装がバッテリコントローラを動作させるバッテリ供給電圧の変動をもたらす可能性のある環境においても使用できる設計のバッテリパックのバッテリコントローラにも簡単に適用することができる。少なくとも上記の理由から、電子機器１１４のバッテリコントローラ３１０を効果的に実装する改良された装置及び方法を有する。
【００４６】
図６は、本発明にかかる一実施形態における図１に示すバッテリパック１１８の選択成分の概略図である。他の実施形態において、本発明は、図６の実施形態で述べたものに加えて、又はそれらの代わりに、様々なコンポーネントと機器構成を簡単に利用することもできる。
【００４７】
バッテリパック１１８のいくつかの実施形態において、バッテリコントローラ３１０は、ＣＨＧピン４３４を介して充電スイッチ４２２をオンにするため、電圧を拡張することもできる。同様に、バッテリコントローラ３１０は、ＤＩＳピン４６６を介して放電スイッチ４５８をオンにするため、電圧を拡張することもできる。しかしながら、図５で上述したように、バッテリ４５４が単一のバッテリセルで実装される場合、０Ｖのグランド電位を有する充電スイッチ４２２及び放電スイッチ４５８のゲートでさえ、充電スイッチ４２２及び放電スイッチ４５８を完全にオンにして、十分に電圧を拡張することができない。
【００４８】
図６の実施形態において、バッテリコントローラ３１０は、ＣＨＧピン４３４を介して充電スイッチ４２２をオンにする拡張電圧を供給するために充電増幅器６５６を利用する。同様に、バッテリコントローラ３１０は、ＤＩＳピン４６６を介して放電スイッチ４５８をオンにする拡張電圧を供給するため、放電増幅器６５２を利用する。充電増幅器６５６は、ＰＣＫＰピン４３０を介して充電器１２２から正電圧を受け取り、放電増幅器６５２は、ＢＡＴＴピン４７０を介してバッテリ４５４から正電圧を受け取る。図６の実施形態において、正電圧は、完全に放電されたバッテリセルの場合、一般的に、約２Ｖである。
【００４９】
充電増幅器６５６及び放電増幅器６５２を接地する代わりに、図６の実施形態において、充電増幅器６５６及び放電増幅器６５２をバッテリコントローラ３１０の内部負充電ポンプ６１４の負充電ポンプ出力６４８に都合よく接続する。図６の実施形態において、内部負充電ポンプ６１４は、負充電ポンプ出力６４８としてマイナス２Ｖを提供することもできる。したがって、充電増幅器６５６と放電増幅器６５２は、それぞれが最低約４Ｖの拡張電圧を発生させ、その結果、充電スイッチ４２２と放電スイッチ４５８は、スイッチを入れられた場合は、十分に低いオン状態抵抗を示すこともできる。
【００５０】
図６の実施形態において、位相１（ＰＨ１）のスイッチ６２２及び位相１（ＰＨ１）のスイッチ６２８は、ＣＰＯピン５２６を介してバッテリコントローラ３１０の充電ポンプ３４２（図５を参照）からの充電ポンプ出力電圧を充電蓄電器６１８に充電するために閉じられる。その後、位相１のスイッチ６２２及び位相１のスイッチ６２８は、開けられ、位相０（ＰＨ０）のスイッチ６３６及び位相０（ＰＨ０）のスイッチ６４０は、内部負充電ポンプ６１４からの負充電ポンプ出力６４４（ＮＥＧ）を充電増幅器６５６及び放電増幅器６５２の両方に提供するために閉じられる。図６の実施形態において、バッテリコントローラ３１０のＣＰＵ３１４は、内部負充電ポンプ６１４を動作又は停止させるために、ＮＥＧＯＮ線６６０を利用することもできる。
【００５１】
図４及び図５で上述したように、いくつかの実施形態において、充電スイッチ４２２及び放電スイッチ４５８は、バッテリパック１１８の負充電経路に直列接続されたＮ型電界効果トランジスタ（ＦＥＴ）を利用することにより、交互に実行され、充電スイッチ４２２は、負充電器端子（ＰＣＮＫ）４１８に直接接続され、放電スイッチ４５８は、バッテリ４５４の負側に接続される。充電スイッチ４２２及び放電スイッチ４５８のＮ型電界効果トランジスタを使用する実施形態において、バッテリコントローラ３１０は、充電スイッチ４２２及び放電スイッチ４５８を完全にオンにするのに十分な拡張電圧を生成するためにＣＰＯピン５２６上で充電ポンプ３４２（図５）の充電ポンプ出力電圧を効果的に利用することができるので、バッテリコントローラ３１０は、図５で述べた内部負充電ポンプ６１４を必要としないこともある。
【００５２】
図７は、本発明に基づき、図３に示すＵＡＲＴ３３４の一実施形態からの選択成分の概略図である。他の実施形態において、本発明は、図７の実施形態で述べたものに加えて、又はそれらの代わりに、様々なコンポーネントや機器構成を簡単に利用することができる。図７の実施形態において、バッテリコントローラ３１０及び電子機器１１４のプロセッサ２２６のような適当な外部実体の間で様々な双方向通信を行うために、バッテリコントローラ３１０は、ＵＡＲＴ３３４を利用することもできる。
【００５３】
図７の実施形態において、バッテリコントローラ３１０を備える集積回路素子上の単一の送受信ピン（ＴＸＲＸ）ピンを介して電子機器１１４との通信を行うためにＵＡＲＴを実装することもできるのが効果的である。このようにして、この単一ピンＵＡＲＴインタフェースは利用可能な接続ピンをバッテリコントローラ３１０上の集積回路素子上に確保する。図７の実施形態において、電子機器１１４は情報をＳＯ（ＴＸ）線７２６を介してＴＸＲＸピンに伝送することもできる。ＵＡＲＴ３３４は、その後ＴＸＲＸピンからの伝送情報をＲＸ線１４を介して受信することもできる。反対に、ＵＡＲＴ３３４は情報をＴＸ線７１８を介してＴＸＲＸピンに伝送することもできる。電子機器１１４は、その後ＴＸＲＸピンからの伝送情報をＳＩ（ＲＸ）線７２２を介して受信することもできる。
【００５４】
図７の実施形態において、ＵＡＲＴ装置は、ＵＡＲＴ装置における作業の同期化のためにＵＡＲＴクロック信号を正確に生成するために、バッテリコントローラ３１０の命令発振器３３８から時間ベース信号を受信することもできるのが効果的である。命令発振器３３８は、バッテリコントローラ３１０の集積回路に搭載された精密時間ベース回路を含むので、ＵＡＲＴ３３４は時間ベース信号を生成するためにオフチップ結晶発振器を必要としない。さらに、図７に示すＵＡＲＴ３３４の実装において、かかるオフチップ時間ベースソースを支援するための余分な接続も不要である。
【００５５】
いくつかの実施形態との関連において本発明について説明した。本開示からして、他の実施形態が当業者には明らかである。例えば、本発明は、実施形態に記載した以外の機器構成や技術を使用しても簡単に実現することができる。さらに、本発明は、上記以外のシステムとの組合せによっても効果的に使用することができる。したがって、これらの変形例や上記実施形態以外の変形例も本発明により包含されるものとし、本発明は添付の特許請求の範囲によってのみ限定される。
【図面の簡単な説明】
【００５６】
【図１】本発明による装置の一実施形態のブロック図である。
【図２】本発明による図１の電子機器の一実施形態のブロック図である。
【図３】本発明による図１のバッテリコントローラの一実施形態のブロック図である。
【図４】図１のバッテリパックの一実施形態の選択コンポーネントの概略図である。
【図５】本発明による図１のバッテリパックの一実施形態の選択コンポーネントの概略図である。
【図６】本発明による図１のバッテリパックの一実施形態の選択コンポーネントの概略図である。
【図７】本発明による図３のＵＡＲＴの一実施形態の選択コンポーネントの概略図である。
【図１】
2007511199.tif 000003
【図２】
2007511199.tif 000004
【図３】
2007511199.tif 000005
【図４】
2007511199.tif 000006
【図５】
2007511199.tif 000007
【図６】
2007511199.tif 000008
【図７】
2007511199.tif 000009
【国際調査報告】
2007511199.tif 000010
2007511199.tif 000011
2007511199.tif 000012